(57)【要約】【課題】  本水上遊水プールは、海洋及び湖沼や河川の水面に浮遊して設置される遊戯施設の一つとして、プール槽内の遊泳水が波や流れに影響されて揺動することを解決し、遊泳者が安心して且つ快適に遊泳を楽しめるものとする。  更には、水上遊泳プールの部材構成を単純かつ少量として、設営工数の最小化と設営費用の軽減を図るものである。【解決手段】プール槽の材料に、水中での剛性と耐候性及び耐食性に富むガラス繊維又は強化プラスチック等を採用して強靭なプール槽とする。更に構造を単純にし、プール槽外の波や流れの影響を抑制する為にプール槽の水封性を高めて、静かな遊泳水を得ることができるものである。  プール槽は、材料と一体成形の加工により全体剛性を増し、且部材構成を最小限とすることによって、設営作業は効率よく安価な費用でできる。【選択図】図１
2018040236.tif 000002
【特許請求の範囲】
【請求項１】
水面に浮上して設営され、その上方の面が遊泳者の遊戯の為に開放された水泳プールに於いて、プール槽の側壁と底床の材料に水中での剛性及び耐候性と耐食性を有するガラス繊維又は強化プラスチック等を用いたことを特徴とする、海洋及び河川湖水向けの水上遊泳プール。
【請求項２】
プール槽の側壁と底床を一体ものとし、そのプール槽全体を一体成形加工としてその構成部材を最小限とし、且つ水封性を高めたことを特徴とする、請求項１に記載の水上遊泳プール。
【請求項３】
前述のプール槽の側壁と底床の面に、プール槽内からの水中観察とプール槽内の遊泳水の循環及び入換えを目的として、装着と取外しが可能な数種類の着脱パネルを設けたことを特徴とする、請求項１と請求項２に記載の水上遊泳プール。
【請求項４】
前述のプール槽の側壁と底床の面体を二重構造にして必要容量の空間を有し、その空間への空気の給気と排気及び水の吸水と排水によって、プール槽の浮力を調整することを特徴とする、請求項１と請求項２に記載の水上遊泳プール。
【請求項５】
プール槽全体を帯状スリング等で補強された漁網類で包み、吊りスリング又はワイヤーロープ等をかけてプール槽全体を重機で吊ることを特徴とする、請求項１から請求項４に記載の水上遊泳プール。
【請求項６】
本発明の水上遊水プールは、海洋や河川湖水の波や流れによる揺れや流動を防ぐために、水底に置かれたアンカーと係留ロープにより固定されるものであるが、その係留ロープを外して拘束を解き、外部の動力によって全体が簡単に移動出来ることを特徴とした、請求項１から請求項５に記載の水上遊泳プール。
【発明の詳細な説明】
【技術分野】
【０００１】  本発明は、海洋や湖沼及び河川における遊戯施設として、その沖合又は接岸の水域に浮上して設営する水面上方を大気に開放した水上遊泳プールである。
【背景技術】
【０００２】  海洋や湖沼及び河川に於けるレジャーの多様化に伴い、従来から遊泳を目的とした水中プールは多様な技術がある。  例えば、特許文献１、２、３、４と非特許文献１等である。【０００３】  それらの先行技術について、夫々の主な特徴を以下に述べる。
特許文献１は、プール槽は枠フレームの内側の側壁と底床の面に柔軟な膜材を展張し、浮力体として個別の水中浮体をプール槽の底面に取付けている。【０００４】  特許文献２は、側壁と底床の面に網状体を張巡らせて、浮力体には個別の浮沈フロートを底床に配置しており、夫々の浮沈フロートへのコンプレッサーによる給排気によって浮力を調整するものである。【０００５】  特許文献３は、側壁と底床の面にネットを用い、浮力体は給排気可能な必要数のエアバッグによって浮力を調整するものである。【０００６】  特許文献４は、合成樹脂製の枠材の内側に柔軟な不透水シートを展張したプール槽であり、浮力体はコンクリート製の浮体ブロックを周囲構造体を兼ねて組込まれている。【０００７】  非特許文献１は、ガラス繊維等による一体又は分割成形体のプール槽を、陸上の屋外又は屋内に限って設営する遊泳プールである。
【先行技術文献】
【特許文献】
【０００８】
【特許文献１】特開２０１４−１２５７８７  公報
【特許文献２】特開２００５−９００９８  公報
【特許文献３】第３０２６２６７号  登録実用新案公報
【特許文献４】特開平７−１５８２９６  公報
【非特許文献】
【０００９】
【非特許文献１】ＦＲＰ製品製造業者のプールのインタ−ネットでの一般紹介
【発明の概要】
【発明が解決しようとする課題】
【００１０】  従来の水上プールは、プール槽の側壁と底床の面に膜材及び網状体等を展張したものであってプール槽が軟弱な為、プール槽外の流れや波の影響で遊泳水の揺動及び壁床面の型崩れを起こし易い。  故に遊泳者の姿勢も揺動して安定せず、遊泳者には不安を与えることになる。【００１１】  又、プール槽の側壁と底床の面に膜材及び網状体等を展張したものは、プール槽の外との水封が不完全若しくは不可能であり、汚濁水や異常な冷水のプール槽内への浸水を防げない為、遊泳者には不快感や冷感を与えることになる。
更には、水面水中のクラゲやえい等の有害な魚類の侵入も完全には防げず、遊泳者への危害を防ぐことが万全ではない。【００１２】  従来の水上プールは、プール槽を組立てる構成部材が多い（１０点以上）為、設営作業に要員と時間を多く必要とする。  即ち設営及びメインテナンスの費用が高くなる。【００１３】  従来の水上プールの内、側壁と底床の全面を膜材や不透水シート等で展張したプール槽では、その槽内全面が封じられている為遊泳水の入換えが容易ではなく、且つ遊泳者は水中遊泳の時に視界を遮られた閉塞感を抱く。【００１４】  浮遊して設営するプール槽は、遊泳者の人数及び付設物や積載物の大きさとその数によって重力と浮力のバランスが異なり、その状況に応じてプール槽の遊泳水の水深が変動する。
その対応として、従来の水上プールでは浮遊体に浮沈フロートやエアバッグ等が、個別の部品として必要な個数をプール槽に付帯されている。  これらの水上プールの浮遊体は、付帯された数が多い為浮力の調整作業が複雑となり、設営作業と浮力調整に手間と工数がかかる。
又、特許文献２に示されているコンプレッサーによる浮力調整の給気は、その水上プール専用のコンプレッサーと動力源を準備しなければならない。  そして、水上プールの設営場所の動力源の事情により、その使用が限定される。【００１５】  従来の水上プールは、プール槽全体を構成する各部位の仮組立て作業を陸上若しくは桟橋上で行った後、その各部位を吊り移動して水中で組上げなければならないが、それらは数が多く且つ形状が複雑である為、吊り移動回数を多く要するか若しくは専用の吊り具を準備しなければならない。
そして水中での組上げ作業には、作業性が悪い為多くの工数がかかる。【００１６】  従来の水上プールは、その全体の流動を防ぐ為に浅瀬の水底に固定されるか桟橋等に係留されるものが多い。  それ故、陸上か桟橋等に接するか又はそれらの近傍に設営場所が限定される為、水質、風、日差し等による環境の状況変化に応じて適宜な場所への移動が不可能若しくは容易ではない。  一方、設営場所が限定されることは、常に遊泳環境が同じで近辺の景観が固定される為、遊泳者は環境の変化を楽しむ事が出来ず飽き感を抱くことになる。【００１７】  本発明は、前述の如く従来の水上プールの課題を、請求項１から請求項６により改善して遊泳者の安全性と快適性を高め、更に設営作業の簡素化を目的としたものである。
【課題を解決するための手段】
【００１８】  以下に、本発明によるその解決手段を記述する。
請求項１の発明は、プール槽１は側壁１ａおよび底床１ｂが一体物であり、その上方は遊泳面として大気に開放されていて、プール槽１の全体の材料に耐水性、耐候性、耐食性に優れて且つ、剛性を有するガラス繊維又は強化プラスチック等の化学合成樹脂類を採用した、強靭な水面浮上の水上遊泳プールである。【００１９】  請求項２の発明は、プール槽１全体を請求項１の材料として、その形状を側壁１ａと底床１ｂ共に一体成形加工することにより、補強枠材、壁材と床材及び固定部品、浮力体等を分離した個別体にする必要をなくし、プール槽１の構成部材を最小限にして設営と撤去作業及び維持管理を簡素化するものである。
プール槽１の形と大きさは数種類に標準サイズ化して、水上遊水プールの一品毎の設計の手間を省くものとする。
プール槽１が大形又は複雑な形のものにあっては、二体又は数体に分割した成形加工によるものとする。
又、プール槽１を一体成形することにより、プール槽内の遊泳水Ａとプール槽外の周囲水Ｂとの水封性を高めて、プール槽外の周囲水Ｂの汚濁水や冷水及び有害魚類のプール槽内の遊泳水Ａへの浸水と侵入を防ぐものとする。【００２０】  請求項３の発明は、プール槽内の遊泳水Ａの入換えと遊泳者の閉塞感を解消する為、プール槽１の側壁１ａと底床１ｂに切欠き開口部設けて、そこに装着と取外しが簡単に出来る着脱パネル２を取付けるものとする。
着脱パネル２は、プール槽１の外を水中観賞できる透視パネル２ａと、プール槽内の遊泳水Ａとプール槽外の周囲水Ｂを遮断する閉止パネル２ｂ、及び開口の開度を調整するスリット状の細隙パネル２ｃとし、着脱パネル２は形状とサイズの種類を限定して、任意の位置の物と適宜交換できるものとする。
又着脱パネル２を外して、プール槽内の遊泳水Ａをプール槽外の新鮮な周囲水Ｂと入れ換えることがきるものとする。【００２１】  請求項４の発明は、プール槽１の浮力と重力のバランスの変動に対応する時、各変動の状況に応じて必要な浮力調整をする目的として、プール槽１の側壁１ａ及び底床１ｂに適宜容量の二重構造の浮力調整空間３を設ける。浮力調整空間３は、プール槽１の成形加工と同時に槽と一体ものとして設けるものとする。
その浮調整力空間３に、浮力に応じた必要容量の空気と水を給排して、浮力を調整できるものとする。  その給排する為の構造は、各浮力調整空間３の最下部に吸排水用の開口穴４と、各空間の最上部に空気給排用の配管付給排気バルブ５を設けるものとする。【００２２】  請求項４の浮力調整の操作に於いて、浮力を上げてプール槽１を浮上する場合は、給排気バルブ５を開いて空気源より浮力調整空間３に空気を送ることにより、浮力調整空間３の中の水を排水してその空気量によって浮力のバランスを調整するものである。  浮力調整後は給排気バルブ５を閉じる。  空気源は空気ボンベとし、コンプレッサーを使用できる場所に於いてはどちらでもよい。
一方、浮力を下げてプール槽１を沈降する場合は、給排気バルブ５を開いて浮力調整空間３の空気を排気することにより開口穴４から水を吸水して、その水量によって浮力のバランスを調整するものである。  水は、プール槽１の重量による沈降によって浮力調整空間３へ吸水される為、ポンプは用いない。  浮力調整後は給排気バルブ５を閉じる。【００２３】  請求項５の発明は、プール槽１を漁網類７で丸ごと包んで設営作業の取扱いを簡単にし、作業工数を軽減するものである。
設営作業は、陸上又は桟橋等に於いてプール槽１を漁網類７で丸ごと包み、それに吊りスリング８をかけて重機で吊上げ移動して、水面枠６の中に下ろすことにより重機作業が終わることを特徴とする。  一体成形加工のプール槽１は重機作業を一度とし、プール槽１が大形又は複雑な形で分割成形の組立て式としたものにあっては、一度又は分割数の回数の重機作業とする。
以降は、付設物の簡易桟橋１２外を固定し、目的の場所に曳行移動してアンカー９に係留ロープ１０により係留する。
なお、プール槽１は、設営後も漁網類７により包まれた状態とする。【００２４】  請求項６の発明は、水上遊水プールの設営後の場所移動を、簡単に出来ることを特徴とするものである。  設営された水上遊水プールは、水底Ｃのアンカー９に係留ロープ１０で固定されているだけであり、係留ロープ１０を切り離すかアンカー９共に引き上げれば、水上遊水プールは簡単に拘束を解かれて浮遊が自由となる。  故に船舶等により水上遊水プール全体を曳行して、希望する別の場所へ移動し且つ水面遊覧も可能とするものである。
移動に関しては、曳行移動を容易にするために請求項４の浮力調整により、プール槽１を上昇して水中走行抵抗を軽くしてもよい。  曳行動力は、水上に於いては漁船等の船舶であり、海岸及び桟橋等の近くに於いては陸上の車両、若しくは陸上か本水上遊泳プール上に設置されたウインチ類である。
【発明の効果】
【００２５】  プール槽１に、耐水性、耐候性、耐食性に優れ、且つ剛性を有する請求項１の材料を用いることは、塩分を含む海水等に長期に渡って使用でき、又大掛りなメインテナンスを必要としない為、耐用及び運営費用の面に於いて商業的に大きな利点となる。
プール槽１にガラス繊維を用いる場合は、波浪や高速走行等の繰返し耐衝撃性に富み且つ耐久性があることが、同じ材料の漁船等で既に実証済である。【００２６】  プール槽１の側壁１ａと底床１ｂを一体の成形加工とし、更に浮遊調整空間３を単純構造で且つプール槽１と一体ものとすることにより、従来の水上プールの様な槽の補強枠材や様々な固定部品及び個別の浮力体等を必要とせず、プール槽１の構成部材を最小限とすることが出来る。故に設営と撤去にかかる作業を簡素化して要員をより削減し、更に作業時間を短縮できることによって作業費用を安く出来る。  そして又、構成部材が少ないことは、水上遊水プールのメインテナンスとシーズンオフの保守及び管理も、費用を安くすることが出来る。
それと共に、一体成形によるプール槽１の形と大きさのサイズを適正に標準化することは、製作にかかる設計の手間を少なく出来る。【００２７】  前述の如くプール槽１は、その材料（請求項１）と加工方法（請求項２）によって剛性が高められている為、プール槽の側壁１ａと底床１ｂの型崩れや揺れを起こさず遊泳水の流動が小さいため、遊泳者は自身の揺動を少なくして遊泳を楽しむ事が出来る。【００２８】  又、プール槽１の側壁１ａと底床１ｂを一体に成形加工して水封性を高めることは、プール槽１の外からの濁りと冷水の浸水及びクラゲやえい等の有害な魚類の侵入を防ぎ、幼児や子供を含めて遊泳者が安全且つ快適に遊泳を楽しむことが出来る。【００２９】  プール槽１に着脱の透視パネル２ａを取付けることは、ほぼ静止した遊泳水の中で側壁１ａや底床１ｂからプール槽１の外の水中観察を、遊泳者が自身の揺動がなく安定して且つ安全に楽しむことが出来る。
その外の着脱パネル２は、プール槽内の遊泳水Ａを維持する時に、着脱の閉止パネル２ｂを取付けてプール槽外の周囲水Ｂを遮水する。  又、着脱の細隙パネル２ｃを取付ければ、プール槽外の周囲水Ｂの取入れを微調整出来る。  更に着脱パネル２は、形状とサイズの種類が限定されている為、設営した環境に応じて夫々のパネルが適宜に任意な位置と交換できる。  そして着脱パネル２を外せば、プール槽内の遊泳水Ａはその水質調整や、新鮮なプール槽外の周囲水Ｂとの交換が可能である為、常に新鮮な遊泳水を維持出来る。【００３０】  プール槽１の側壁１ａと底床１ｂに二重構造の浮力調整空間３を設けることは、給排気バルブ５の操作だけで空気と水の供給量バランスを調整出来る為、浮力調整が簡単に出来る。
又、プール槽１が二重の壁構造であることは、一重の壁構造に較べて剛性を増すことが出来る。  更に浮力調整空間３がプール槽１と一体であることは、設営作業に於いて従来の水上プールのような個別の浮力体の数の調整や、その取付けと取外し作業を省くことが出来る。【００３１】  本水上遊泳プールを、水上の目的地に設営移動又は設営後の場所移動をする時は、二重構造の浮力調整空間３の調整により浮力を上げ、プール槽１を上昇して曳行の水中抵抗を軽くすることにより、全体毎自在に移動し易くなる。
又、プール槽を清掃及びメインテナンスする場合は、同じように浮力を上げてプール槽１を上昇し、水深を浅くすれば作業を容易に出来る。【００３２】  プール槽１が漁網類７で全体を包まれていることは、全体に吊りスリング８を懸けて重機によるプール槽１の吊り移動が一度で終了できる。
そして、設営状態に於いてもプール槽１が漁網類７で全体を包まれていることは、遊泳水の入換え時に着脱パネル２を外すことがあっても、有害魚類の侵入を防ぐことが出来る。
水上遊水プ−ルを保管中に於いても、プール槽１と漁網類７を分離する必要がなく、従ってその作業は必要としない。【００３３】  本水上遊泳プールを一度設営した後に場所換えを行う場合に、アンカーを解除して全体を漁船等の曳行によって容易に出来ることは、波、流れ、水温、風、日差し等の状況変化への対応や、設営場所の変更を要する場合の対応として移動が簡単にできる。  即ち、本水上遊水プールの運用運営の日数を増せることにも反映される。
又、遊泳者は環境や景観が変わった違いを楽しむ事が出来る。【００３４】  本発明は上記の外に、以下の効果がある。
本水上遊泳プールの形や大きさの規模は様々なものが可能であるが、その実施可能な形と規模に於いては全体を開閉式の透明テントで覆い、遊泳者が風の冷感を強く感じることなく遊泳を楽しむことが出来る。
更には遊泳水が貯留水である為、簡易のソーラー式等の温水器を設けて遊泳水を循環し、温暖な遊水プールを水上で楽しむ事が出来る。
【図面の簡単な説明】
【００３５】
【図１】海洋に設営された本発明の水上遊泳プールの例を示す鳥瞰図
【図２】本発明の水上遊泳プールを示す全体平面図
【図３】図２に於けるＤ−Ｅ線断面図
【図４】設営作業に於いてプール槽を吊り移動して水面枠内に下ろす略図
【発明を実施するための形態】
【００３６】  以下、本発明を実施する形態について、図１から図４に基づいたその部材構成と設営作業の要領を説明する。
【００３７】  図１に於いて、主な構成はプール槽１、水面枠６、アンカー９及び係留ロープ１０からなる。
図２と３は図１を詳細に示すもので、プール槽１はプール槽の側壁１ａと底床１ｂからなり、プール槽１には透視パネル２ａの外に閉止パネル２ｂ、細隙パネル２ｃの３種類の着脱パネル２が取付けられている。  更にプール槽１には浮力調整の為の浮力調整空間３、開口穴４と給排気バルブ５が一体として組込まれている。  プール槽１の周りは、遊泳者がプール槽１から上がって行動する水面枠６により囲われている。  水面枠６は平面床状であり、それはブイフロート１１によって浮いている。
図３は、水上に浮遊した状態の水上遊水プールの部分の立断面図であるが、水上遊水プールの浮遊流動を防ぐため、水底Ｃに沈められたアンカー９に係留ロープ１０により係留されている。
【００３８】  図４は設営状態の立面図である。  ブイフロート１１を伴った水面枠６は、予め水底Ｃに沈められたアンカー９に係留ロープ１０により係留されており、その水面枠６の内側に漁網類７で包まれたプール槽１が吊りスリング８を介して重機に吊られて下ろされる。  以降、プール槽１はロープや簡単な金具類によって水面枠６と固定された後、必要に応じて付設物の簡易桟橋１２等を装着すれば一体となった水上遊水プールの組立てが終了する。  そして全体が設営場所に曳行されて設営は終了する。
【産業上の利用可能性】
【００３９】  本水上遊水プールは、温暖期及び温暖地での遊泳の外に、次のような施設にも利用できる。
寒冷期間の遊泳に適さないシーズンは、自然水の中の商業用養魚池として活用できる。  更には、設営された沖合に連絡船を運航して、観光遊漁のための釣り池や沖釣りの拠点にも利用できる。【００４０】  本水上遊泳プールは、次のような商業分野で採用が見込まれる。
海洋及び水上遊戯場の一施設、ホテルやレストラン等の集客用の付設設備、福祉施設の一設備、或いは化成品製造業界の一商品等である。
【符号の説明】
【００４１】  １    プ−ル槽
１ａ  プ−ル槽の側壁
１ｂ  プ−ル槽の底床
２    着脱パネル
２ａ  着脱の透視パネル
２ｂ  着脱の閉止パネル
２ｃ  着脱の細隙パネル
３    浮力調整空間
４    開口穴
５    給排気バルブ
６    水面枠
７    漁網類
８    吊りスリング
９    アンカー
１０  係留ロープ
１１  ブイフロート
１２  簡易桟橋
Ａ    プール槽内の遊泳水
Ｂ    プール槽外の周囲水
Ｃ    水底
【図１】
2018040236.tif 000003
【図２】
2018040236.tif 000004
【図３】
2018040236.tif 000005
【図４】
2018040236.tif 000006
【手続補正書】
【提出日】平成29年3月6日(2017.3.6)
【手続補正１】
【補正対象書類名】特許請求の範囲
【補正対象項目名】全文
【補正方法】変更
【補正の内容】
【特許請求の範囲】
【請求項１】
水面に浮上して設営され、その上方の面が遊泳者の遊戯の為に開放された水泳プールに於いて、プール槽の側壁と底床の面に、プール槽内からの水中観察とプール槽内の遊泳水の循環及び入換えを目的として、装着と取外しが可能な数種類の着脱パネルを設けたことを特徴とする、海洋及び河川湖水向けの水上遊泳プ−ル。
【請求項２】
前述のプール槽の側壁と底床の面体を、一体に固定された二重構造にして必要  
量の空間を有し、その空間への空気の給気と排気及び水の吸水と排水によってプール槽の浮力を調整することと、二重構造によるプール槽の外力に対する強度を増すことを特徴とする、本発明の水上遊泳プール。
【請求項３】
プール槽全体を帯状スリング等で補強された漁網類で包み、吊りスリング又はワ
イヤーロープ等をかけてプール槽全体を重機で吊ることと、設営中も漁網類を外すことなくプール槽に開口部を設けた時の有害異物の侵入を防ぐことを特徴とする、本発明の水上遊泳プール。
【手続補正２】
【補正対象書類名】明細書
【補正対象項目名】全文
【補正方法】変更
【補正の内容】
【発明の詳細な説明】
【技術分野】
【０００１】
本発明は、海洋や湖沼及び河川における遊戯施設として、その沖合又は接岸水域に浮上して設営する水面上方を大気に開放した水上遊泳プールである。
【背景技術】
【０００２】
海洋や湖沼及び河川に於けるレジャーの多様化に伴い、従来から遊泳を目的とした水中プールは多様な技術がある。  例えば、特許文献１、２、３、４と非特許文献１等である。
【０００３】
それらの先行技術について、夫々の主な特徴を以下に述べる。
特許文献１は、プール槽は枠フレームの内側の側壁と底床の面に柔軟な膜材を展張し、浮力体として個別の水中浮体をプール槽の底面に取付けている。
【０００４】
特許文献２は、側壁と底床の面に網状体を張巡らせて、浮力体には個別の浮沈フロートを底床に配置しており、夫々の浮沈フロートへのコンプレッサーによる給排気によって浮力を調整するものである。
【０００５】
特許文献３は、側壁と底床の面にネットを用い、浮力体は給排気可能な必要数のエアバッグによって浮力を調整するものである。
【０００６】
特許文献４は、合成樹脂製の枠材の内側に柔軟な不透水シートを展張したプール槽であり、浮力体はコンクリート製の浮体ブロックを周囲構造体を兼ねて組込まれている。
【０００７】
非特許文献1は、ガラス繊維等による一体又は分割成形体のプール槽を、陸上の屋外又は屋内に限って設営する遊泳プールである。
【先行技術文献】
【特許文献】
【０００８】
【特許文献１】特開２０１４-１２５７８７  公報
【特許文献２】特開２００５-９００９８   公報
【特許文献３】第３０２６２６７号      登録実用新案公報
【特許文献４】特開平７-１５８２９６   公報
【非特許文献】
【０００９】
【非特許文献１】ＦＲＰ製品製造業者のプールのインタ−ネットでの一般紹介
【発明の概要】
【発明が解決しようとする課題】
【００１０】
従来の水上プールは、プール槽の側壁と底床の面に膜材及び網状体等を展張したものであってプール槽が軟弱な為、プール槽外の流れや波の影響で遊泳水の揺動及び壁床面の型崩れを起こし易い。  故に遊泳者の姿勢も揺動して安定せず、遊泳者には不安を与えることになる。
【００１１】
又、プール槽の側壁と底床の面に膜材及び網状体等を展張したものは、プール槽の外との水封が不完全若しくは不可能であり、汚濁水や異常な冷水のプール槽内への浸水を防げない為、遊泳者には不快感や冷感を与えることになる。
更には、水面水中のクラゲやえい等の有害な魚類の侵入も完全には防げず、遊泳者への危害を防ぐことが万全ではない。
【００１２】
従来の水上プールは、プール槽を組立てる構成部材が多い（１０点以上）為、設営作業に要員と時間を多く必要とする。  即ち設営及びメインテナンスの費用が高くなる。
【００１３】
従来の水上プールの内、側壁と底床の全面を膜材や不透水シート等で展張したプール槽では、その槽内全面が封じられている為遊泳水の入換えが容易ではなく、且つ遊泳者は水中遊泳の時に視界を遮られた閉塞感を抱く。
【００１４】
浮遊して設営するプール槽は、遊泳者の人数及び付設物や積載物の大きさとその数によって重力と浮力のバランスが異なり、その状況に応じてプール槽の遊泳水の水深が変動する。その対応として、従来の水上プールでは浮遊体に浮沈フロートやエアバッグ等が、個別の部品として必要な個数をプール槽に付帯されている。  これらの水上プールの浮遊体は、付帯された数が多い為浮力の調整作業が複雑となり、設営作業と浮力調整に手間と工数がかかる。
又、特許文献２に示されているコンプレッサーによる浮力調整の給気は、その水上プール専用のコンプレッサーと動力源を準備しなければならない。  そして、水上プールの設営場所の動力源の事情により、その使用が限定される。
【００１５】
従来の水上プールは、プール槽全体を構成する各部位の仮組立て作業を陸上若しくは桟橋上で行った後、その各部位を吊り移動して水中で組上げなければならないが、それらは数が多く且つ形状が複雑である為、吊り移動回数を多く要するか若しくは専用の吊り具を準備しなければならない。  そして水中での組上げ作業には、作業性が悪い為多くの工数がかかる。
【００１６】
従来の水上プールは、その全体の流動を防ぐ為に浅瀬の水底に固定されるか桟橋等に係留されるものが多い。  それ故、陸上か桟橋等に接するか又はそれらの近傍に設営場所が限定される為、水質、風、日差し等による環境の状況変化に応じて適宜な場所への移動が不可能若しくは容易ではない。  一方、設営場所が限定されることは、常に遊泳環境が同じで近辺の景観が固定される為、遊泳者は環境の変化を楽しむ事が出来ず飽き感を抱くことになる。
【００１７】
本発明は、前述の如く従来の水上プールの課題を、請求項１から請求項3により改善して遊泳者の安全性と快適性を高め、更に設営作業の簡素化を目的としたものである。
【課題を解決するための手段】
【００１８】
以下に、本発明によるその解決手段を記述する。
本発明は、プール槽１は側壁１aおよび底床１ｂが一体物であり、その上方は遊泳面として大気に開放されていて、プール槽１の全体の材料に耐水性、耐候性、耐食性に優れて且つ、剛性を有する非金属又は金属の材料を採用した、強靭な水面浮上の水上遊泳プールである。
【００１９】
本発明は、プール槽１全体を前述の非金属又は金属の材料として、その形状を側壁１aと底床１ｂ共に一体成形加工することにより、補強枠材、壁材と床材及び固定部品、浮力体等を分離した個別体にする必要をなくし、プール槽１の構成部材を最小限にして設営と撤去作業及び維持管理を簡素化するものである。  プール槽１の形と大きさは数種類に標準サイズ化して、水上遊水プールの一品毎の設計の手間を省くものとする。  プール槽１が大形又は複雑な形のものにあっては、二体又は数体に分割した成形加工によるものとする。  又、プール槽１を一体成形することにより、プール槽内の遊泳水Ａとプール槽外の周囲水Ｂとの水封性を高めて、プール槽外の周囲水Ｂの汚濁水や冷水及び有害魚類のプール槽内の遊泳水Ａへの浸水と侵入を防ぐものとする。
【００２０】
請求項１の発明は、プール槽内の遊泳水Ａの入換えと遊泳者の閉塞感を解消する為、プール槽１の側壁１aと底床１ｂに切欠き開口部設けて、そこに装着と取外しが簡単に出来る着脱パネル２を取付けるものとする。  着脱パネル２は、プール槽１の外を水中観賞できる透視パネル２aと、プール槽内の遊泳水Ａとプール槽外の周囲水Ｂを遮断する閉止パネル２ｂ、及び開口の開度を調整するスリット状の細隙パネル２ｃとし、着脱パネル２は形状とサイズの種類を限定して、任意の位置の物と適宜交換できるものとする。  又着脱パネル２を外して、プール槽内の遊泳水Ａをプール槽外の新鮮な周囲水Ｂと入れ換えることがきるものとする。
【００２１】
請求項２の発明は、プール槽１の浮力と重力のバランスの変動に対応する時、各変動の状況に応じて必要な浮力調整をする目的として、プール槽１の側壁１a及び底床１ｂに適宜容量の二重構造の浮力調整空間３を設ける。  浮力調整空間３は、プール槽１の成形加工と同時に又は設営の際にプール槽１に固定して一体ものとして構成するものである。  その浮調整力空間３に、浮力に応じた必要容量の空気と水を給排して、浮力を調整できるものとする。  その給排する為の構造は、各浮力調整空間３の最下部に吸排水用の開口穴４と、各空間の最上部に空気給排用の配管付給排気バルブ５を設けるものとする。
【００２２】
請求項２の浮力調整の操作に於いて、浮力を上げてプール槽１を浮上する場合は、給排気バルブ５を開いて空気源より浮力調整空間３に空気を送ることにより、浮力調整空間３の中の水を排水してその空気量によって浮力のバランスを調整するものである。  浮力調整後は給排気バルブ５を閉じる。  空気源は空気ボンベとし、コンプレッサーを使用できる場所に於いてはどちらでもよい。  一方、浮力を下げてプール槽１を沈降する場合は、給排気バルブ５を開いて浮力調整空間３の空気を排気することにより開口穴４から水を吸水して、その水量によって浮力のバランスを調整するものである。  水は、プール槽１の重量による沈降によって浮力調整空間３へ吸水される為、ポンプは用いない。  浮力調整後は給排気バルブ５を閉じる。
【００２３】
請求項３の発明は、プール槽１を漁網類７で丸ごと包んで設営作業の取扱いを簡単にし、作業工数を軽減するものである。  設営作業は、陸上又は桟橋等に於いてプール槽１を漁網類７で丸ごと包み、それに吊りスリング８をかけて重機で吊上げ移動して、水面枠６の中に下ろすことにより重機作業が終わることを特徴とする。  一体成形加工のプール槽１は重機作業を一度とし、プール槽１が大形又は複雑な形で分割成形の組立て式としたものにあっては、一度又は分割数の回数の重機作業とする。  以降は、付設物の簡易桟橋１２外を固定し、目的の場所に曳行移動してアンカー９に係留ロープ１０により係留する。  なお、プール槽１は、設営後も漁網類７により包まれた状態とすることにより、網目より大きな有害動物や異物の侵入を防ぐものとする。
【００２４】
本発明は、水上遊水プールの設営後の場所移動を、簡単に出来ることを特徴とするものである。  設営された水上遊水プールは、水底Ｃのアンカー９に係留ロープ１０で固定されているだけであり、係留ロープ１０を切り離すかアンカー9共に引き上げれば、水上遊水プールは簡単に拘束を解かれて浮遊が自由となる。  故に船舶等により水上遊水プール全体を曳行して、希望する別の場所へ移動し且つ水面遊覧も可能とするものである。  移動に関しては、曳行移動を容易にするために請求項２の浮力調整により、プール槽１を上昇して水中走行抵抗を軽くしてもよい。  曳行動力は、水上に於いては漁船等の船舶であり、海岸及び桟橋等の近くに於いては陸上の車両、若しくは陸上か本水上遊泳プール上に設置されたウインチ類である。
【発明の効果】
【００２５】
プール槽１に、耐水性、耐候性、耐食性に優れ、且つ剛性を有する非金属又は金属の材料を選定することは、塩分を含む海水等に長期に渡って使用でき、又大掛りなメインテナンスを必要としない為、耐用及び運営費用の面に於いて商業的に大きな利点となる。  プール槽１にプラスチック類を用いる場合は、その耐用性が陸上プール、化学用タンク類や漁船等で長年にわたって実証済である。
【００２６】
プール槽１の側壁1aと底床１bを一体の成形加工とし、更に浮遊調整空間３を単純構造で且つプール槽1と一体ものとすることにより、従来の水上プールの様な槽の補強枠材や様々な固定部品及び個別の浮力体等を必要とせず、プール槽１の構成部材を最小限とすることが出来る。  故に設営と撤去にかかる作業を簡素化して要員をより削減し、更に作業時間を短縮できることによって作業費用を安く出来る。  そして又、構成部材が少ないことは、水上遊水プールのメインテナンスとシーズンオフの保守及び管理も、費用を安くすることが出来る。  それと共に、一体成形によるプール槽１の形と大きさのサイズを適正に標準化することは、製作にかかる設計の手間を少なく出来る。
【００２７】
前述の如くプール槽１は、その材料と加工方法と構造によって剛性が高められている為、プール槽の側壁１aと底床１ｂの型崩れや揺れを起こさず遊泳水の流動が小さいため、遊泳者は自身の揺動を少なくして遊泳を楽しむ事が出来る。
【００２８】
又、プール槽１の側壁1aと底床１ｂを一体に成形加工して水封性を高めることは、プール槽１の外からの濁りと冷水の浸水及びクラゲやえい等の有害な魚類の侵入を防ぎ、幼児や子供を含めて遊泳者が安全且つ快適に遊泳を楽しむことが出来る。
【００２９】
プール槽１に着脱の透視パネル２aを取付けることは、ほぼ静止した遊泳水の中で側壁１aや底床１ｂからプール槽１の外の水中観察を、遊泳者が自身の揺動がなく安定して且つ安全に楽しむことが出来る。  その外の着脱パネル２は、プール槽内の遊泳水Ａを維持する時に、着脱の閉止パネル２ｂを取付けてプール槽外の周囲水Ｂを遮水する。  又、着脱の細隙パネル２ｃを取付ければ、プール槽外の周囲水Ｂの取入れを微調整出来る。  更に着脱パネル２は、形状とサイズの種類が限定されている為、設営した環境に応じて夫々のパネルが適宜に任意な位置と交換できる。  そして着脱パネル２を外せば、プール槽内の遊泳水Ａはその水質調整や、新鮮なプール槽外の周囲水Ｂとの交換が可能である為、常に新鮮な遊泳水を維持出来る。
【００３０】
プール槽１の側壁１aと底床１ｂに二重構造の浮力調整空間３を設けることは、給排気バルブ５の操作だけで空気と水の供給量バランスを調整出来る為、浮力調整が簡単に出来る。  又、プール槽１が二重の壁構造であることは、一重の壁構造に較べて剛性を増すことが出来る。  更に浮力調整空間３がプール槽１と一体であることは、設営作業に於いて従来の水上プールのような個別の浮力体の数の調整や、その取付けと取外し作業を省くことが出来る。
【００３１】
本水上遊泳プールを、水上の目的地に設営移動又は設営後の場所移動をする時は、二重構造の浮力調整空間３の調整により浮力を上げ、プール槽１を上昇して曳行の水中抵抗を軽くすることにより、全体毎自在に移動し易くなる。  又、プール槽を清掃及びメインテナンスする場合は、同じように浮力を上げてプール槽１を上昇し、水深を浅くすれば作業を容易に出来る。
【００３２】
プール槽１が漁網類７で全体を包まれていることは、全体に吊りスリング８を懸けて重機によるプール槽１の吊り移動が一度で終了できる。  そして、設営状態に於いてもプール槽１が漁網類７で全体を包まれていることは、遊泳水の入換え時に着脱パネル２を外すことがあっても、有害魚類の侵入を防ぐことが出来る。  水上遊水プ−ルを保管中に於いても、プール槽１と漁網類７を分離する必要がなく、従ってその作業は必要としない。
【００３３】
本水上遊泳プールを一度設営した後に場所換えを行う場合に、アンカーを解除して全体を漁船等の曳行によって容易に出来ることは、波、流れ、水温、風、日差し等の状況変化への対応や、設営場所の変更を要する場合の対応として移動が簡単にできる。  即ち、本水上遊水プールの運用運営の日数を増せることにも反映される。  又、遊泳者は環境や景観が変わった違いを楽しむ事が出来る。
【００３４】
本発明は上記の外に、以下の効果がある。  本水上遊泳プールの形や大きさの規模は様々なものが可能であるが、その実施可能な形と規模に於いては全体を開閉式の透明テントで覆い、遊泳者が風の冷感を強く感じることなく遊泳を楽しむことが出来る。  更には遊泳水が貯留水である為、簡易のソーラー式等の温水器を設けて遊泳水を循環し、温暖な遊水プールを水上で楽しむ事が出来る。
【図面の簡単な説明】
【００３５】
【図１】海洋に設営された本発明の水上遊泳プールの例を示す鳥瞰図
【図２】本発明の水上遊泳プールを示す全体平面図
【図３】図２に於けるＤ−Ｅ線断面図
【図４】設営作業に於いてプール槽を吊り移動して水面枠内に下ろす略図
【発明を実施するための形態】
【００３６】
以下、本発明を実施する形態について、図１から図４に基づいたその部材構成と設営作業の要領を説明する。
【００３７】
図１に於いて、主な構成はプール槽１、水面枠６、アンカー９及び係留ロープ１０からなる。  図２と３は図１を詳細に示すもので、プール槽１はプール槽の側壁１aと底床１ｂからなり、プール槽１には透視パネル２aの外に閉止パネル２ｂ、細隙パネル２ｃの３種類の着脱パネル２が取付けられている。  更にプール槽1には浮力調整の為の浮力調整空間３、開口穴４と給排気バルブ５が一体として組込まれている。  プール槽1の周りは、遊泳者がプール槽1から上がって行動する水面枠６により囲われている。  水面枠６は平面床状であり、それはブイフロート１１によって浮いている。  図３は、水上に浮遊した状態の水上遊水プールの部分の立断面図であるが、水上遊水プールの浮遊流動を防ぐため、水底Ｃに沈められたアンカー９に係留ロープ１０により係留されている。
【００３８】
図４は設営状態の立面図である。  ブイフロート１１を伴った水面枠６は、予め水底Ｃに沈められたアンカー９に係留ロープ１０により係留されており、その水面枠６の内側に漁網類７で包まれたプール槽1が吊りスリング８を介して重機に吊られて下ろされる。  以降、プール槽1はロープや簡単な金具類によって水面枠６と固定された後、必要に応じて付設物の簡易桟橋１２等を装着すれば一体となった水上遊水プールの組立てが終了する。  そして全体が設営場所に曳行されて設営は終了する。
【産業上の利用可能性】
【００３９】
本水上遊水プールは、温暖期及び温暖地での遊泳の外に、次のような施設にも利用できる。  寒冷期間の遊泳に適さないシーズンは、自然水の中の商業用養魚池として活用できる。  更には、設営された沖合に連絡船を運航して、観光遊漁のための釣り池や沖釣りの拠点にも利用できる。
【００４０】
本水上遊泳プールは、次のような商業分野で採用が見込まれる。  海洋及び水上遊戯場の一施設、ホテルやレストラン等の集客用の付設設備、福祉施設の一設備、或いは化成品製造業界の一商品等である。
【符号の説明】
【００４１】
１   プ−ル槽
１a プ−ル槽の側壁
１ｂ プ−ル槽の底床
２   着脱パネル
２a  着脱の透視パネル
２ｂ 着脱の閉止パネル
２ｃ 着脱の細隙パネル 
３   浮力調整空間
４   開口穴
５   給排気バルブ
６   水面枠
７   漁網類
８   吊りスリング
９   アンカー
１０ 係留ロープ
１１ ブイフロート
１２ 簡易桟橋
Ａ   プール槽内の遊泳水
Ｂ   プール槽外の周囲水
Ｃ   水底